(57)【特許請求の範囲】
【請求項１】
釣竿のハンドル部にリール装着部を設け、該ハンドル部よりも先方の竿杆外周に複数のガイドを設けた外ガイド付き釣竿であって、前記複数のガイドの内のトップガイドの内径を５ｍｍ以下にすると共に、その他のガイドの内径はトップガイドの内径以下であり、竿杆の表面から前記複数のガイドの夫々の挿通孔下端までの各高さの相違が４ｍｍ以下であることを特徴とする外ガイド付き釣竿。
【請求項２】
前記複数のガイドは、隣接する前後のガイドが同じ内径を有するか又は元側が小径である請求項１記載の外ガイド付き釣竿。
【請求項３】
前記竿杆は、ハンドル部を水平状態に保持した状態において、トップガイド位置の撓み量がトップガイドの内径よりも小さい値となる撓み剛性を有する請求項１又は２記載の外ガイド付き釣竿。
【請求項４】
前記複数のガイドの夫々は、竿杆の表面から各ガイドの挿通孔の下端までの高さが、当該ガイドの挿通孔の内径よりも小さい請求項１〜３の何れか１記載の外ガイド付き釣竿。
【請求項５】
前記複数のガイドは全て同じ内径を有すると共に、竿杆の表面から各ガイドの挿通孔の下端までの高さが同じである請求項１〜４の何れか１記載の外ガイド付き釣竿。
【発明の詳細な説明】
【技術分野】
【０００１】
本発明は、外ガイド付きの釣竿に関し、特に、キャスティング用の外ガイド付き釣竿に関する。
【背景技術】
【０００２】
複数の外ガイドが設けられている釣竿のハンドル部にリールを装着してキャスティング操作をする場合、釣糸が絡まないように複数の外ガイドによって先方へ誘導され、先端のトップガイドから外に放出され、仕掛けやルアーを遠くに飛ばすことができる。従って、キャスティング操作によってリールから解き放たれた釣糸が螺旋状旋回や上下左右の振れ等で広がっていても、ガイドを通過しながら釣糸の暴れ状態を徐々に拘束して穂先側に向かわせる。このため、元側程大径の挿通孔を有するガイドが装着されており、穂先側になるに従って徐々に小径の挿通孔を有するガイドとなっている。例えば、下記特許文献１には、そうした孔径の大小の表われたガイド付き釣竿が描かれている。また、非常に特殊なものとして、特許文献２には釣竿の長手方向においてガイド内径が大小に変化する釣竿が開示されている。
なお、ルアーロッドの、例えば、ベイトキャスティングロッド等の一般的なキャスティングロッドでは、主に、直径が０．３７ｍｍ以下のナイロン、フロロカーボン、ポリエチレン等の５号以下の釣糸が使用されており、トップガイドについては、その挿通孔直径が５ｍｍ以下で４．８〜３．０ｍｍが多い。その他のガイドは、既述の如く、トップガイドよりも元側程内径が漸次大きくなるのが一般的である。
【先行技術文献】
【特許文献】
【０００３】
【特許文献１】実開平３−３４７７１号公報
【特許文献２】特許第３８８５１８８号公報
【発明の概要】
【発明が解決しようとする課題】
【０００４】
ところが、このようにトップガイドに対して元側のガイドの内径が大径に形成されていると、トップガイドに到達する前に、これらのガイドの挿通孔を通過する際に釣糸が大きく振れつつ通過することになるため、釣糸の空気抵抗が大きく、キャスティングした仕掛けやルアーの飛距離が出難い他、所望ポイントへのキャスティングが困難である。また、キャスティングでは、投げられた仕掛けやルアーの飛翔方向と釣竿の穂先の向きとを一致させなければ、釣糸がトップガイド内縁に強く接触して飛距離が低下し、所望ポイントへのキャスティングも困難になる。
依って解決しようとする課題は、キャスティングの飛距離や位置精度を改善できる外ガイド付き釣竿を提供することである。
【課題を解決するための手段】
【０００５】
上記課題に鑑みて第１の発明は、釣竿のハンドル部にリール装着部を設け、該ハンドル部よりも先方の竿杆外周に複数のガイドを設けた外ガイド付き釣竿であって、前記複数のガイドの内のトップガイドの内径を５ｍｍ以下にすると共に、その他のガイドの内径はトップガイドの内径以下であり、竿杆の表面から前記複数のガイドの夫々の挿通孔下端までの各高さの相違が４ｍｍ以下であることを特徴とする外ガイド付き釣竿を提供する。
５ｍｍ以下は、好ましくは３ｍｍ以下である。
４ｍｍ以下は、好ましくは３ｍｍ以下、更に好ましくは２ｍｍ以下である。要は、各ガイドの高さが同じであるか、又は高さの相違が小さいことを述べている。
【０００６】
第２の発明は、第１の発明の前記複数のガイドは、隣接する前後のガイドが同じ内径を有するか又は元側が小径であるよう構成する。
第３の発明は、第１又は第２の発明の前記竿杆は、ハンドル部を水平状態に保持した状態において、トップガイド位置の撓み量がトップガイドの内径よりも小さい値となる撓み剛性を有するよう構成する。
【０００７】
第４の発明は、第１〜第３の発明の前記複数のガイドの夫々は、竿杆の表面から各ガイドの挿通孔の下端までの高さが、当該ガイドの挿通孔の内径よりも小さいよう構成する。
第５の発明は、第１〜第４の発明の前記複数のガイドは全て同じ内径を有すると共に、竿杆の表面から各ガイドの挿通孔の下端までの高さが同じであるよう構成する。
【発明の効果】
【０００８】
第１の発明では、全てのガイドの内径を５ｍｍ以下のトップガイド内径以下にするため、リールから離たれた釣糸を最初のガイドに誘導した後は大きく振れることなく各ガイド挿通孔を通過する。また、竿杆の表面から各ガイドの挿通孔下端までの夫々の高さの相違が４ｍｍ以下と小さいため、ガイド挿通の際の釣糸の折れは殆ど生じない。従って、ガイドの挿通孔を通過する際の釣糸の空気抵抗が低減し、キャスティングした仕掛けやルアーの飛距離が改善できる他、所望ポイントへのキャスティングの位置精度が向上する。
【０００９】
第２の発明では、キャスティングでは所望ポイントへの精度が重要であるが、そのためには、仕掛けやルアーの飛翔方向と釣竿の延伸方向とを一致させる必要がある。しかし、釣竿は先程よく撓むため、元側よりも先側のガイド挿通孔が小さくては前記方向を一致させ難い。このため、元側寄りのガイドと比べて先側寄りのガイドの挿通孔の大きさが同じかより大きいことが望ましい。特に、本願では全てのガイドが５ｍｍ以下の小さな挿通孔であるため、この第２発明の要件はキャスティングの位置精度や飛距離にとって効果が大きい。
【００１０】
第３の発明では、トップガイド位置の撓みがトップガイドの内径（５ｍｍ以下）よりも小さい量となる撓み剛性を有する竿杆であるとは、先端における撓みが小さいことを意味し、長手方向に亘って硬質な竿杆であることを意味する。このように先端の撓みが小さく、自重では竿杆全体が直線に近い状態なので、キャスティング操作で竿杆を振った直後に、釣竿を投擲ポイントの方向に指向静止させた際、複数ガイドが小径であっても直線状に並ぶので釣糸抵抗が小さく、仕掛けやルアーの飛距離が伸びると共に、位置精度も向上する。
【００１１】
第４の発明では、ガイド位置の高さが低いので、各ガイドは竿杆表面近くに沿って並んでいる。このため、キャスティング操作に伴う仕掛けやルアーを設けた釣糸の動きは、竿杆（の中心軸線）そのものに近く、キャスティング操作が違和感なく可能となる。
第５の発明では、少なくともトップガイドを除けば、残りガイドは同じ形態寸法のガイドが使用でき、釣竿コストを低減できる。
【図面の簡単な説明】
【００１２】
【図１】本発明に係る外ガイド付き釣竿の側面図である。
【図２】図１の拡大図であって、自重を無視した状態の部分縦断面図である。
【図３】図１の拡大図であって、自重を考慮した状態の部分縦断面図である。
【図４】本発明に係る第２形態例の外ガイド付き釣竿の図であって、図２に対応する部分縦断面図である。
【図５】本発明に係る第３形態例の外ガイド付き釣竿の図であって、図２に対応する部分縦断面図である。
【発明を実施するための形態】
【００１３】
以下、本発明を添付図面を用いて更に詳細に説明する。第１実施形態例を示す図１と図２を参照する。エポキシ樹脂等の合成樹脂を炭素繊維等の強化繊維で強化した繊維強化合成樹脂材からなる竿杆１０の元部領域にはハンドル部２０が設けられている。この例の釣竿はバスを対象魚としたバス用キャスティングロッドであり、竿杆１０は中実の１本竿であるが、本発明は中空竿管の竿杆を用いてもよく、また、継式竿杆でもよい。
【００１４】
ハンドル部２０にはリールＲ（この例ではベイトリール等の両軸受型リール）を装着固定させるリール装着部Ｓが設けられており、元側に固定フードＦ２、先側に移動フードＦ１がナット部材Ｎを伴って設けられている。また、固定フードの径方向反対側にはトリガーＴが形成されており、この固定フードＦ２よりも元側のハンドル部領域にはグリップ部材が設けられて、グリップ部ＧＰが形成されている。トリガーＴに指を係止するとキャスティング操作が容易になるため、その存在はキャスティングロッドには好ましいが、本発明に必須ではない。
【００１５】
ハンドル部２０の前方の竿杆１０の外周には複数のガイドＧが設けられている。この実施例では１０個のガイドＧ１〜Ｇ１０が配設されており、竿杆に沿った長手方向の間隔は前方ほど狭くなっている。トップガイドＧ１は、内径Ｄの挿通孔を有するセラミックス製のガイドリングＧ１Ｒを金属製の保持体ＨＢで保持して、竿杆先端部に差し込んで固定すると共に、竿杆表面からガイドリングＧ１Ｒの挿通孔下端までの高さＨを有するように竿杆１０の先端部に固定している。
【００１６】
これに隣接する第２ガイドＧ２から、最も元側寄りの第１０ガイドＧ１０までは、全て同じ部品としてのガイドＧが使用されている。また、ガイドリングＧ２Ｒ〜Ｇ１０ＲはトップガイドのガイドリングＧ１Ｒと同じ材質、同じ寸法形態のものである。更には、竿杆表面から各ガイドリングの挿通孔下端までの高さも前記トップガイドのものと同じＨである。ガイドＧ２〜Ｇ１０は各保持体ＨＢの足部ｆを糸巻回ＩＫと接着剤とによって固定保持している。また、挿通孔の直径Ｄは５ｍｍ以下の３ｍｍであり、高さＨは直径Ｄよりも小さく、例えば２ｍｍである。
【００１７】
こうした構成のため、キャスティングによってリールＲを離たれた釣糸は第１０ガイドＧ１０によってその振れが大きく規制され、その後のガイドも竿杆表面からの高さが同じであると共に内径も同じであるため、釣糸は折れ曲がりが防止されつつ振れも小さい。従って、飛距離が向上すると共に、投擲位置精度も向上する。
【００１８】
次に図３を参照する。これはハンドル部２０を水平に保持した場合、釣竿の自重による竿杆１０の撓みを図示しており、トップガイドＧ１の位置の撓み量δが最も大きい。記号ＣＬは竿杆１０の中心軸線である。しかし、この形態例の竿杆１０の撓み量δはそのトップガイドＧ１の内径Ｄよりも小さい。即ち、一般的に表現すると、竿杆が硬質であり、撓み難い。このため、釣りに際してキャスティング操作を行い、ルアーが飛翔している間に釣竿を投擲目標位置に対する方向に指向させると、各ガイドの挿通孔が実質的に一直線状に並び、更に釣糸の折れ曲がりが防止されて、更に飛距離が向上すると共に投擲位置精度も向上する。
【００１９】
次に第２実施形態例の図４を参照する。第１実施形態例と相違するところを主に説明する。第２ガイドＧ２〜第１０ガイドＧ１０は同じ部品としてのガイドを使用しているが、トップガイドＧ１の挿通孔の直径Ｄよりも夫々小さな同じ直径ｄの挿通孔を有している。また、第２ガイドＧ２〜第１０ガイドＧ１０の挿通孔下端の竿杆表面からの高さｈは、トップガイドＤ１の高さＨは僅かに低いが実質同じともいえる。例えば、２ｍｍほど低いに過ぎない。従って、第１実施形態例と同様な作用効果を奏する。
【００２０】
次に第３実施形態例の図５を参照する。第１実施形態例と相違するところを主に説明する。第２ガイドＧ２と第３ガイドＧ２とは同じ部品を使用しており、その挿通孔直径も高さもトップガイドＧ１のものと同じである。第４ガイドＧ４と第５ガイドＧ５と第６ガイドＧ６とは互いに同じ部品であり、その挿通孔直径はガイドＧ１〜Ｇ３のものより小さく、高さは僅かに低いに過ぎない。第７ガイドＧ７と第８ガイドＧ８と第９ガイドＧ９と第１０ガイドＧ１０とは互いに同じ部品であり、その挿通孔直径はガイドＧ４〜Ｇ６のものより小さく、高さは僅かに低いに過ぎない。全てのガイドＧ１〜Ｇ１０の挿通孔下端までの高さの互いの相違は４ｍｍを越えることは無く、３ｍｍ以下或いは２ｍｍ以下であるため、第１実施形態例と同様な作用効果を奏する。
【００２１】
以上の形態例では、各ガイドのガイドリングは竿杆表面に対して垂直に設けられているが、適宜傾斜していてもよい。また、各ガイドのガイドリングを金属製にしたり、保持体を合成樹脂（繊維強化樹脂を含む）で形成してもよく、その材料は様々なものを用いることができる。
【産業上の利用可能性】
【００２２】
本発明は、外ガイドを設けた釣竿に利用でき、特に硬質竿杆のキャスティングロッドに利用できる。
【符号の説明】
【００２３】
１０                        竿杆
２０                        ハンドル部
Ｄ                          トップガイドの挿通孔直径
Ｇ１                        トップガイド
Ｈ                          竿杆表面からのトップガイド挿通孔下端の高さ
Ｓ                          リール装着部
【図１】
0005336431.tif 000002
【図２】
0005336431.tif 000003
【図３】
0005336431.tif 000004
【図４】
0005336431.tif 000005
【図５】
0005336431.tif 000006